(57)【要約】【課題】光源を有していてもミラーを利用する際にまぶしくならないバニティミラーアッセンブリおよびこれを有するサンバイザーを提供すること。【解決手段】サンバイザー４は、天井２に蝶番３ａや支軸３ｂを介して開閉自在に設けられる。この場合のバニティミラーアッセンブリ１は、サンバイザー４を天井２側に畳んだ状態における下面５に付設されるものである。バニティミラーアッセンブリ１は、本体Ｍ１の蝶番部６によって蓋７が開閉自在になっており、当該蓋７の内側にミラー８が設けられる。当該アッセンブリ１の本体Ｍ１側には、ランプ部９が設けられ、その内部のＬＥＤやバルブといった、いくつかの光源１０によって、光が発せられる。このようにすると、ランプ部９の主光軸はミラーを見る者の視線方向と略９０度をなし、光が目に直接入らなくなるので、まぶしさを抑えられる。【選択図】            図１
2004268725.tif 000002
【特許請求の範囲】
【請求項１】
車輌の車室に設けられるサンバイザーに付設され、ミラー材およびランプを有するバニティミラーアッセンブリにおいて、
前記サンバイザーを車輌進行方向に概平行となるように折り畳んだ状態の下面で当該面に概平行となるように設けられる本体に当該本体と概直角方向に主光軸を有する前記ランプを有し、当該本体の蝶番により回動自在となる蓋部の内側に前記ミラー材を設けて成ることを特徴とするバニティミラーアッセンブリ。
【請求項２】
車輌の車室に設けられるサンバイザーに付設され、ミラー材およびランプを有するバニティミラーアッセンブリにおいて、
前記サンバイザーを垂下させた状態の手前面で当該面に概平行となるように設けられる本体に前記ミラー材を有し、当該本体の蝶番により回動自在となる蓋部の内側に当該蓋部と概直角方向に主光軸を有する前記ランプを設けて成ることを特徴とするバニティミラーアッセンブリ。
【請求項３】
前記蝶番は、可動部を所望位置で固定可能にする機構を有することを特徴とする請求項１または２に記載のバニティミラーアッセンブリ。
【請求項４】
請求項１〜３のいずれかのバニティミラーアッセンブリを有することを特徴とするサンバイザー。
【発明の詳細な説明】
【０００１】
【発明の属する技術分野】
この発明は、バニティミラーアッセンブリおよびサンバイザーに関し、更に詳しくは、車輌車室内部に設けられ、化粧直し等に利用されるバニティミラーと光源とが一体になったバニティミラーアッセンブリ及びこれを有するサンバイザーに関する。
【０００２】
【従来の技術】
図５は、従来のバニティミラーアッセンブリを示す外観三面図である。車輌の車室、とくに運転席や助手席の上部天井３２付近には、サンバイザー３４が設けられるのが一般的である。当該サンバイザー３４は、蝶番３３ａや支軸３３ｂを介して天井３２に取り付けられるので、開閉自在となり、開いたときは天井から垂下する。そのときのサンバイザー３４の内側面３５（閉まっているときの上面）には化粧直し等に利用できるバニティミラーアッセンブリ３１が設けられる。
【０００３】
同図に示すようにバニティミラーアッセンブリ３１は、蝶番部３６によって開閉自在となる蓋部３７が設けられる。当該蓋部３７を開けると、ミラー材３８とランプ部３９が露出するようになっている。ランプ部３９は、バルブやＬＥＤといった光源４０をレンズカバーで覆ったものである。製品によっては、蓋部３７を開けると光源４０が自動的に点灯するもの、光量が調整されるものもある（例えば、特許文献１）。また、ミラー材３８やランプ部３９が回動可能になっており、角度調整可能なものもある（例えば、特許文献２）。
【０００４】
【特許文献１】
特開２００２−２１１３１５号公報（第４頁、第１図）
【特許文献２】
特開２００２−３３１８３４号公報（第２〜６頁、第１〜６図）
【０００５】
【発明が解決しようとする課題】
しかしながら、上記従来のバニティミラーアッセンブリは、基本的にミラーとランプ部が概同一平面上に並設されているので、光源からの光がミラーを使用する人の目に直接入り、ミラーが見づらくなるという問題点があった。
【０００６】
そこで、この発明は、上記に鑑みてなされたものであって、光源を有していてもミラーを利用する際にまぶしくならないバニティミラーアッセンブリおよびこれを有するサンバイザーを提供することを目的とする。
【０００７】
【課題を解決するための手段】
上述の目的を達成するために、請求項１に係るバニティミラーアッセンブリは、車輌の車室に設けられるサンバイザーに付設され、ミラー材およびランプを有するバニティミラーアッセンブリにおいて、前記サンバイザーを車輌進行方向に概平行となるように折り畳んだ状態の下面で当該面に概平行となるように設けられる本体に当該本体と概直角方向に主光軸を有する前記ランプを有し、当該本体の蝶番により回動自在となる蓋部の内側に前記ミラー材を設けて成るようにしたものである。
【０００８】
蓋部は、本体の蝶番により回動自在であるから、ミラー材もそれに応じて回動自在となる。ミラーを使用するときは、蓋部を回動垂下させて用いる。ミラーを使用しないときは、蓋部を回動し、ランプを隠蔽させ、サンバイザーと一体化させる。ミラーの角度調整は蓋部の角度を調整することによって行う。ランプの主光軸の角度調整は、サンバイザー自体の角度調整によって行う。このようにすると、ミラー使用時、ランプの主光軸がミラー使用者の視線方向に直接入らないので、まぶしくなくなる。なお、ランプは蓋部の開閉に応じて自動点灯するようにしてもよいし、手動で点灯させるようにしてもよい。
【０００９】
ところで、車輌には地図や手元を見るためのマップランプが車両前方中央部に設けられることが多い。この発明によるバニティミラーアッセンブリは、サンバイザーに平行な本体にランプを有し、その主光軸は下方（使用者の腰元付近）を向くので、当該ランプがマップランプの役割も兼ね備える。このため、別体のマップランプが不要となり、コスト削減が実現できる。特に従来コスト優先のためにバニティミラー用ランプの無いグレードの車種にもバニティミラー用ランプおよびマップランプの両機能を同時設定可能となる。
【００１０】
また、請求項２に係るバニティミラーアッセンブリは、車輌の車室に設けられるサンバイザーに付設され、ミラー材およびランプを有するバニティミラーアッセンブリにおいて、前記サンバイザーを垂下させた状態の手前面で当該面に概平行となるように設けられる本体に前記ミラー材を有し、当該本体の蝶番により回動自在となる蓋部の内側に当該蓋部と概直角方向に主光軸を有する前記ランプを設けて成るようにしたものである。
【００１１】
この発明は、請求項１に係る発明とは逆に、本体にミラー材を有し、蓋部の内側に前記ランプを設けたものである。したがって、ミラーを使用するときは、蓋部を跳ね上げ回動して用いる。ミラーの角度調整はサンバイザー自体の角度を調整することによって行う。ランプの主光軸の調整は、蓋の角度を調整することによって行う。このようにしても、ミラー使用時、ランプの主光軸がミラー使用者の視線方向に直接入らないので、まぶしくなくなる。なお、ランプは蓋部の開閉に応じて自動点灯するようにしてもよいし、手動で点灯させるようにしてもよい。また、当該ランプは、マップランプとしても兼用できる点は請求項１に係る発明と同様である。
【００１２】
また、請求項３に係るバニティミラーアッセンブリは、前記バニティミラーアッセンブリにおいて、前記蝶番が、可動部を所望位置で固定可能にする機構を有するようにしたものである。
【００１３】
蝶番は、本体の一部に付設され、ミラー材やランプが設けられる蓋部の回動可能要素である。この蝶番の可動部をはめあいを０以下にすると、摩擦により、任意角度で蓋部を調整・固定できる。したがって、ミラー材やランプの角度調整が容易に行える。また、蝶番にラチェット機構を設けて、段階的に蓋部の角度を調整・固定できるようにしてもよい。これにより、ミラー材に自然な位置関係で像を写すことが可能となる。
【００１４】
また、請求項４に係るサンバイザーは、請求項１〜３のいずれかのバニティミラーアッセンブリを有するようにしたものである。
【００１５】
【発明の実施の形態】
以下、この発明につき図面を参照しつつ詳細に説明する。なお、この実施の形態によりこの発明が限定されるものではない。また、この実施の形態の構成要素には、当業者が置換可能かつ容易なもの、或いは実質的に同一のものを含む。
【００１６】
（実施の形態１）
図１は、この発明の実施の形態１に係るバニティミラーアッセンブリを示す三面外観図である。ほとんどの一般車輌の運転室内部には、日よけ用のサンバイザー４が設けられる。サンバイザー４は、天井２に蝶番３ａ、支軸３ｂを介して開閉自在に設けられる。バニティミラーアッセンブリ１は、サンバイザー４を車輌進行方向に概平行となるように天井２側に畳んだ状態における下面５に付設されるものである。
【００１７】
バニティミラーアッセンブリ１は、本体Ｍ１の蝶番部６によって蓋部７が開閉（回動）自在になっており、当該蓋部７の内側にミラー材８が設けられる。本体Ｍ１には、当該本体Ｍ１と直角方向に主光軸を有するランプ部９が設けられる。具体的には、ランプ部９の内部にあるＬＥＤやバルブといった、いくつかの光源１０によって、光が発せられるようになっている。
【００１８】
図２は、図１のバニティミラーの使用状態を示した横外観図である。なお、図１と同じ構成要素には同一の符号を付してある。ミラー材８を使用しないときは邪魔にならないように蓋部７を閉じておく。化粧直し等でミラー材８を使用するときは、蓋部７を開け、ミラー材８を適当な角度に調整して用いる。
【００１９】
バニティミラーアッセンブリ１は、蓋部７を開けると、蝶番部（図示省略）のスイッチがＯＮになり、ランプ部９の光源１０が自動的に点灯するようにしておいてもよい。当該スイッチは、蓋部７の突起と本体Ｍ１側の穴とで動作するようなものでもよい。同図に示すように光源１０の主光軸はサンバイザー４の位置・角度に依存して変化し得る。このため、当該主光軸の角度は、サンバイザー４自体を調整することによって調整できる。
【００２０】
ミラー材８に人間の顔面を写して使用するとき、視線方向は矢印１１の方向となる。この場合、顔面には主光軸の周辺光があたり、人間の目に直接主光が入らないので、グレアのようなまぶしさが抑えられる。このことを考えると、上記視線方向と主光軸とのなす角度が略９０度となるような状態が好ましい。また、光源１０の光は下方に向いているので、自分の腰元、手元を照らすことになり、マップランプとしても重宝する。
【００２１】
マップランプとして使用するときの人間の視線は矢印１２のように下方の地図等に向くので、光源１０によるグレアを心配する必要がなくなる。このようにバニティミラーアッセンブリを構築すると、別体のマップランプが不要となり、コスト削減が実現できる。特に従来コスト優先のためにバニティミラー用ランプの無いグレードの車種にも一つのバニティミラーアッセンブリを設置することによって、バニティミラー用ランプおよびマップランプの両機能を同時設定可能となる。
【００２２】
また、蝶番部６は、ミラー材８が設けられる蓋部の回動可能要素であるが、この蝶番部６の可動部はめあいを０以下にすると、摩擦により、任意の角度で蓋部７を調整・固定できる。また、当該可動部にラチェット機構を設けるようにすれば、段階的に蓋部７の角度を調整・固定できる。したがって、ミラー材８の角度調整が容易に行える。これにより、ミラー材に自然な位置関係で像を写すことが可能となる。
【００２３】
（実施の形態２）
図３は、この発明の実施の形態２に係るバニティミラーアッセンブリを示す三面外観図である。バニティミラーアッセンブリ２１が、天井２２に蝶番２３ａ、支軸２３ｂを介して設けられる点、サンバイザー２４を畳んだ状態における下面２５に設けられる点は実施の形態１と同様である。また、バニティミラーアッセンブリ２１が、本体Ｍ２の蝶番部２６によって蓋部２８が開閉自在になっている点も実施の形態１と同様である。
【００２４】
このバニティミラーアッセンブリ２１は、本体Ｍ２側にミラー材２７が設けられる。したがって、ミラー材２７を使用するときにはサンバイザー２４を下げ、かつ当該蓋部２８を開けた状態で使用する。蓋部２８側には、当該蓋部２８と概直角方向に主光軸を有するランプ部２９が設けられ、ＬＥＤやバルブといった、いくつかの光源３０によって、光が発せられる。
【００２５】
図４は、図３のバニティミラーの使用状態を示した横外観図である。なお、図３と同じ構成要素には同一の符号を付してある。ミラー材２７を使用しないときは邪魔にならないように蓋部２８を閉じておく。化粧直し等でミラー材２７を使用するときは、サンバイザー２４を開くように垂下させ、蓋部２８を開け、ミラー材２７を適当な角度に調整して用いる。
【００２６】
同図に示すように光源３０の主光軸は蓋部２８の位置・角度に依存して変化し得る。このため、当該主光軸の角度調整は、蓋部２８自体の位置・角度を調整することによって行う。バニティミラーアッセンブリ２１は、蓋部２８を開けると、蝶番部（図示省略）のスイッチがＯＮになり、ランプ部２９の光源３０が自動的に点灯するようにしておくと便利な点は実施の形態１と同様である。
【００２７】
ミラー材２７に人間の顔面を写して使用するときは、視線方向は矢印１１の方向となる。この場合、顔面には主光軸の周辺光があたり、人間の目に直接主光が入らないので、グレアのようなまぶしさが抑えられる。また、光源３０の光は下方に向いているので、自分の手元を照らすことになり、実施の形態１と同様にマップランプとしても重宝する。マップランプとして使用するときの人間の視線は矢印１２のように下方の地図等の方向に向くので、光源３０によるグレアを心配する必要がなくなる。
【００２８】
実施の形態１と同様に、蝶番部２６の可動部はめあいを０以下にすると、摩擦により、任意の角度で蓋部２８を調整・固定できる。また、当該可動部にラチェット機構を設けるようにすれば、段階的に蓋部２８の角度を調整・固定できる。したがって、光源３０からの主光軸の角度調整が容易に行える。これにより、まぶしくならない位置関係でミラー材２７に像を写すことが可能となる。
【００２９】
【発明の効果】
以上説明したように、この発明に係るバニティミラーアッセンブリ（請求項１）によれば、基本的に光源使用時、主光軸が視線方向にない為、ミラーを見る際のまぶしさがなくなる。また、蓋の角度を調節することによってミラーの角度を適切に調節できるため、実用性に優れたバニティミラーアッセンブリを構築できる。
【００３０】
また、この発明に係るバニティミラーアッセンブリ（請求項２）によれば、基本的に光源使用時、主光軸が視線方向にない為、ミラーを見る際のまぶしさがなくなる。また、蓋の角度を調節することによってミラーの角度を適切に調節できるため、実用性に優れたバニティミラーアッセンブリを構築できる。
【００３１】
また、この発明に係るバニティミラーアッセンブリ（請求項３）によれば、前記蝶番の可動部を所望の角度に固定可能な機構を有するようにしたので、ミラー材やランプの角度調整が容易に行える。これにより、ミラー材に像を自然な位置関係で写すことが可能となる。
【００３２】
また、この発明に係るサンバイザー（請求項４）によれば、ミラー使用者がまぶしさを感じないバニティミラーアッセンブリを有するので、サンバイザーにおけるミラーの実用性が向上する。また、当該バニティミラーアッセンブリのランプは、主光軸が下方（使用者の腰元付近）を向くので、マップランプとも兼用となる。これによって別体のマップランプが不要となり、当該サンバイザーは、コスト削減のための一役を担うものとなる。
【図面の簡単な説明】
【図１】実施の形態１に係るバニティミラーアッセンブリを示す三面外観図である。
【図２】図１のバニティミラーの使用状態を示した横外観図である。
【図３】実施の形態２に係るバニティミラーアッセンブリを示す三面外観図である。
【図４】図３のバニティミラーの使用状態を示した横外観図である。
【図５】従来のバニティミラーアッセンブリを示した三面外観図である。
【符号の説明】
１、２１、３１  バニティミラーアッセンブリ
２、２２、３２  天井
３ａ、２３ａ、３３ａ  蝶番
３ｂ、２３ｂ、３３ｂ  支軸
４、２４、３４  サンバイザー
６、２６、３６  蝶番
７、２８、３７  蓋部
８、２７、３８  ミラー材
９、２９、３９  ランプ部
１０、３０、４０  光源
Ｍ１、Ｍ２  本体
【図１】
2004268725.tif 000003
【図２】
2004268725.tif 000004
【図３】
2004268725.tif 000005
【図４】
2004268725.tif 000006
【図５】
2004268725.tif 000007